【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
クリーンフォトプレチスモグラフＰＰＧ信号のセグメントを自動的に検出し、ノイジーＰＰＧ信号セグメントを拒絶することを容易にするシステムであって、
患者のフィルタリングされていないＰＰＧ信号及び心電図信号ＥＣＧを同時に記録する患者モニタと、
前記患者モニタから前記フィルタリングされていないＰＰＧ信号及び同時のＥＣＧ信号を入力として受信し、前記同時に測定されたＥＣＧ信号を用いて前記ＰＰＧ信号における複数の心拍の各々をセグメント化するビート識別モジュールと、
前記ＰＰＧ信号における各心拍に関する特徴のセットを抽出するＰＰＧ特徴抽出モジュールであって、前記特徴が、１つ又は複数の波形振幅及び１つ又は複数のパルス通過時間ＰＰＴを含む、ＰＰＧ特徴抽出モジュールと、
前記抽出された特徴を評価し、各ＰＰＧ心拍波形をクリーン又はノイジーとして分類する信号品質評価モジュールと、
ユーザに提示するために、識別されたクリーンなＰＰＧ心拍波形を含むＰＰＧ信号統計情報をディスプレイに出力するプロセッサとを有する、システム。
【請求項２】
前記ビート識別モジュールが更に、各ＥＣＧ心拍波形におけるＲピークを識別し、前記同時に捕捉されたＰＰＧ信号における対応するＰＰＧ心拍波形を連続するＲピークの各ペアの間で識別する、請求項１に記載のシステム。
【請求項３】
前記ＰＰＧ特徴抽出モジュールが更に、各ＰＰＧ心拍波形に関するＰＰＧ信号特徴を抽出し、前記特徴が、
ピーク振幅；
ピーク勾配振幅;
ピーク足振幅;
ピークパルス通過時間ＰＴＴｐ；
足パルス通過時間ＰＴＴｆ；及び
勾配パルス通過時間ＰＴＴｓを含む、請求項１に記載のシステム。
【請求項４】
前記信号品質評価モジュールが更に、各ＰＰＧ心拍波形に対して、前記心拍波形のピーク振幅が非数値である場合、前記ＰＰＧ心拍波形をノイジーとして分類する、請求項３に記載のシステム。
【請求項５】
前記信号品質評価モジュールが更に、各ＰＰＧ心拍波形に対して、前記心拍波形のピーク振幅が前記心拍波形の足における振幅よりも大きくない場合、前記ＰＰＧ心拍波形をノイジーとして分類する、請求項４に記載のシステム。
【請求項６】
前記信号品質評価モジュールが更に、各ＰＰＧ心拍波形に対して、前記心拍波形のピーク振幅が前記心拍波形のピーク勾配における振幅よりも大きくない場合、又は前記心拍波形の足における振幅が前記心拍波形のピーク勾配における振幅より小さくない場合、前記ＰＰＧ心拍波形をノイジーとして分類する、請求項５に記載のシステム。
【請求項７】
前記信号品質評価モジュールが更に、各ＰＰＧ心拍波形に対して、前記心拍波形の足が前記心拍波形のピーク勾配の前に発生する場合、又は前記心拍波形のピーク勾配が前記波形ピークが発生する前に発生する場合、前記ＰＰＧ心拍波形をノイジーとして分類する、請求項６に記載のシステム。
【請求項８】
前記信号品質評価モジュールが更に、各ＰＰＧ心拍波形に対して、１つの心拍波形において複数のピークが検出される場合、前記ＰＰＧ心拍波形をノイジーとして分類する、請求項７に記載のシステム。
【請求項９】
前記信号品質評価モジュールが更に、各ＰＰＧ心拍波形に対して、
前記ＰＰＧ波形の抽出された特徴毎の確率分布を算出し、
前記確率分布に関する上限閾値と下限閾値とを規定し、
前記抽出された特徴のうちの１つ又は複数が前記上限又は下限の外の値を含む場合、前記ＰＰＧ心拍波形をノイジーとして分類する、請求項８に記載のシステム。
【請求項１０】
前記下限閾値が５％であり、前記上限閾値は９５％である、請求項９に記載のシステム。
【請求項１１】
前記信号品質評価モジュールが更に、各ＰＰＧ心拍波形に対して、前記ＥＣＧ信号及び前記ＰＰＧ信号の少なくとも１つにより示される心拍数が、所定の心拍数範囲外である場合、前記ＰＰＧ心拍波形をノイジーとして分類する、請求項９に記載のシステム。
【請求項１２】
前記信号品質評価モジュールが更に、各ＰＰＧ心拍波形に対して、
ノイジーとして分類されていない心拍波形が所定の心拍テンプレートと比較されるビートマッチングプロトコルを実行し、
前記ＰＰＧ心拍波形が前記心拍テンプレートにマッチする場合、前記ＰＰＧ心拍波形をクリーンとして分類する、請求項１１に記載のシステム。
【請求項１３】
クリーンフォトプレチスモグラフＰＰＧ信号のセグメントを自動的に検出し、ノイジーＰＰＧ信号セグメントを拒否する方法において、
フィルタリングされていないＰＰＧ信号及び同時ＥＣＧ信号を入力として患者モニタから受信するステップと、
前記同時に測定されたＥＣＧ信号を用いて前記ＰＰＧ信号における複数の心拍の各々をセグメント化するステップと、
前記ＰＰＧ信号における各心拍に関する特徴のセットを抽出するステップであって、前記特徴が、１つ又は複数の波形振幅及び１つ又は複数のパルス通過時間ＰＰＴを含む、ステップと、
前記抽出された特徴を評価し、各ＰＰＧ心拍波形をクリーン又はノイジーとして分類するステップと、
ユーザに提示するため、識別されたクリーンＰＰＧ心拍波形を含むＰＰＧ信号統計をディスプレイに出力するステップとを有する、方法。
【請求項１４】
各ＥＣＧ心拍波形におけるＲピークを識別し、前記同時に捕捉されたＰＰＧ信号における対応するＰＰＧ心拍波形を連続するＲピークの各対の間で識別するステップを更に有する、請求項１３に記載の方法。
【請求項１５】
前記ＰＰＧ心拍波形に関する前記抽出されたＰＰＧ信号特徴が、
ピーク振幅；
ピーク勾配振幅;
ピーク足振幅;
ピークパルス通過時間ＰＴＴｐ；
足パルス通過時間ＰＴＴｆ；及び
勾配パルス通過時間ＰＴＴｓを含み、
前記心拍波形のピーク振幅が非数値である場合、前記ＰＰＧ心拍波形をノイジーとして分類するステップ；
前記心拍波形のピーク振幅が前記心拍波形の足における振幅よりも大きくない場合、前記ＰＰＧ心拍波形をノイジーとして分類するステップ；
前記心拍波形のピーク振幅が前記心拍波形のピーク勾配における振幅よりも大きくない場合、又は前記心拍波形の足における振幅が前記心拍波形のピーク勾配における振幅より小さくない場合、前記ＰＰＧ心拍波形をノイジーとして分類するステップ；
前記心拍波形の足が前記心拍波形のピーク勾配の前に発生する場合、又は前記心拍波形のピーク勾配が前記波形ピークが発生する前に発生する場合、前記ＰＰＧ心拍波形をノイジーとして分類するステップ；
１つの心拍波形において複数のピークが検出される場合、前記ＰＰＧ心拍波形をノイジーとして分類するステップ；
前記ＰＰＧ波形の抽出された特徴毎の確率分布を算出し、前記確率分布に関する上限閾値と下限閾値を規定し、前記抽出された特徴のうちの１つ又は複数が前記上限又は下限の外の値を含む場合、前記ＰＰＧ心拍波形をノイジーとして分類するステップ；
前記ＥＣＧ信号及び前記ＰＰＧ信号の少なくとも１つにより示される前記心拍数が、所定の心拍数範囲外である場合、前記ＰＰＧ心拍波形をノイジーとして分類するステップ；及び
ノイジーとして分類されていない心拍波形が所定の心拍テンプレートと比較されるビートマッチングプロトコルを実行し、前記ＰＰＧ心拍波形が前記心拍テンプレートにマッチする場合、前記ＰＰＧ心拍波形をクリーンとして分類するステップ；の１つ又は複数を更に有する、請求項１３に記載の方法。